(57)【要約】      （修正有）【課題】カットガラス体やレンズ体を介して見える装飾部材が、光屈折効果や拡大効果などで実際に見えるものとは異なって奇麗に見える装飾性に優れた重ね合せ装飾体を提供する。【解決手段】天然石やガラスダイヤ、ビーズ、リボン、チェーン類で成る装飾部材１の上に、装飾を兼ねるカットガラス体やレンズ体２が重ね合さって取り付けられ、前記カットガラス体やレンズ体２を介して前記装飾部材１が実物とは異なって視覚に訴えられる。カットガラス体やレンズ体２の縁部３に小孔４が設けられ、結束用のワイヤー５が挿通されており、装飾部材１の所望位置の上に重ね合さっているカットガラス体やレンズ体２が、ワイヤー５を装飾部材１に巻き付け固定自在である。【選択図】図１
0003151746.tif 000002
【実用新案登録請求の範囲】
【請求項１】
天然石やガラスダイヤ、ビーズ、リボン、チェーン類で成る装飾部材の上に、装飾を兼ねるカットガラス体やレンズ体が重ね合さって取り付けられ、前記カットガラス体やレンズ体を介して前記装飾部材が実物とは異なって視覚に訴えられる構成であることを特徴とする重ね合せ装飾体。
【請求項２】
カットガラス体やレンズ体の縁部に小孔が設けられ、前記小孔に結束用のワイヤーが挿通されており、装飾部材の所望位置の上に重ね合さっているカットガラス体やレンズ体が、その前記ワイヤーを装飾部材に巻き付け固定自在に構成されていることを特徴とする請求項１に記載した重ね合せ装飾体。
【請求項３】
レンズ体は、ガラスレンズ、プラスチックレンズ、拡大鏡レンズ、縮小レンズ、万華鏡レンズ、メガネレンズ等の各種レンズが含まれることを特徴とする請求項１又は２に記載した重ね合せ装飾体。
【請求項４】
カットガラス体やレンズ体が重ね合さって取り付けられる装飾部材を備えた物品が、リング、ネックレス、ブレスレット、イヤリング、ブローチ、ティアラ、ネクタイピン、カフスボタン、時計であることを特徴とする請求項１〜請求項３のいずれか１項に記載した重ね合せ装飾体。
【請求項５】
カットガラス体やレンズ体が重ね合さって取り付けられる装飾部材に、ＬＥＤ等の発光体が付設されていることを特徴とする、請求項１〜請求項４のいずれか１項に記載した重ね合せ装飾体。
【考案の詳細な説明】
【技術分野】
【０００１】
本考案は、身飾り品としての種々のリングやネックレス、ブレスレット、イヤリング等の装飾部材を備えた物品に、各種のカットガラス体やレンズ体を重ね合せて使用される重ね合せ装飾体の技術分野に関する。
【背景技術】
【０００２】
近年、拡大鏡用のレンズを単体で使用した首飾りペンダント類は公知に属する。例えば、下記文献１に係る実用新案登録第３０７３１３４号公報には、透き通った任意有色性のプラスチック材で透き通った有色性にしてあることを特徴とする任意大きさと形状の拡大鏡用のレンズを形成した首飾りペンダントの装飾用拡大鏡用レンズ（請求項１）が開示されている。
【先行技術文献】
【特許文献】
【０００３】
【特許文献１】実用新案登録第３０７３１３４号公報
【考案の概要】
【考案が解決しようとする課題】
【０００４】
前記文献１の首飾りペンダントの装飾用拡大鏡用レンズは、それまでのレンズが無色透明で形成されていたため色彩的な装飾性に欠ける不都合に鑑み、透き通った有色性にしたことに特徴がある。
【０００５】
しかし、そのような透き通った有色性の拡大鏡用レンズを、首飾りペンダントに使用しても、そのペンダントの下（背後）には、洋服の生地が変色して見えるだけで物足りず装飾性に欠ける。
【０００６】
したがって、本考案が解決しようとする課題は、天然石やガラスダイヤ類で成る装飾部材を備えた物品の上に、各種のカットガラス体やレンズ体を重ね合せて取り付けることにより、そのカットガラス体やレンズ体を介して見える前記装飾部材が、光屈折効果や拡大・縮小効果によるサイズ変更などで実際に見えるものとは異なって奇麗に見える装飾性に優れた重ね合せ装飾体を提供することにある。
【課題を解決するための手段】
【０００７】
上記課題を解決するための手段として、請求項１記載の考案の重ね合せ装飾体は、天然石やガラスダイヤ、ビーズ、リボン、チェーン類で成る装飾部材１の上に、装飾を兼ねるカットガラス体７やレンズ体２を重ね合せて取り付け、前記カットガラス体７やレンズ体２を介して前記装飾部材１が実物とは異なって視覚に訴える構成であることを特徴とする。
【０００８】
請求項２記載の考案の重ね合せ装飾体は、前記カットガラス体７やレンズ体２の縁部３に小孔４を設け、前記小孔４に結束用のワイヤー５を挿通しており、装飾部材１の所望位置の上に重ね合さっているカットガラス体７やレンズ体２が、その前記ワイヤー５を装飾部材１に巻き付け固定自在に構成されていることを特徴とする。
【０００９】
請求項３記載の考案の重ね合せ装飾体は、前記レンズ体２には、ガラスレンズ、プラスチックレンズ、拡大鏡レンズ、縮小レンズ、万華鏡レンズ、メガネレンズ等の各種レンズが含まれることを特徴とする。
【００１０】
請求項４記載の考案の重ね合せ装飾体は、前記カットガラス体７やレンズ体２を重ね合せて取り付ける装飾部材１を備えた物品が、リング１０、ネックレス１１、ブレスレット１２、イヤリング１３、ブローチ１４、ティアラ１５、ネクタイピン、カフスボタン、時計１６であることを特徴とする。
【００１１】
請求項５記載の考案の重ね合せ装飾体は、前記カットガラス体７やレンズ体２を重ね合せて取り付ける装飾部材１に、ＬＥＤ等の発光体を付設していることを特徴とする。
【考案の効果】
【００１２】
請求項１の本考案の重ね合せ装飾体は、天然石やガラスダイヤ、ビーズ、リボン、チェーン類で成る装飾部材の上に、装飾を兼ねるカットガラス体やレンズ体が重ね合さって取り付けられ、前記カットガラス体等を介して下方に位置する前記装飾部材が実物とは異なって視覚に訴えられる構成であるので、その装飾部材が備えるデザインや質感、彩色等の諸要素が、カットガラス体やレンズ体を介して光屈折効果や拡大・縮小効果・縮小効果によるサイズ変更などにより実際に見えるものとは全く異なって斬新なイメージで奇麗に見え、予期せぬ雰囲気を醸し出す装飾性に優れている。
【００１３】
請求項２の本考案の重ね合せ装飾体は、カットガラス体やレンズ体の縁部に小孔が設けられ、前記小孔に結束用のワイヤーが挿通されており、装飾部材の所望位置の上に重ね合さっているカットガラス体等が、その前記ワイヤーを装飾部材に巻き付け固定自在に構成されているので、装飾部材においてカットガラス体等を取り付けたい所望の位置に、当該カットガラス体等のワイヤーを使って簡単に同ワイヤーを装飾部材に巻き付けるだけで、簡単かつ確実に固定でき便利である。
【００１４】
請求項３の本考案の重ね合せ装飾体は、レンズ体には、ガラスレンズ、プラスチックレンズ、拡大鏡レンズ、縮小レンズ、万華鏡レンズ、メガネレンズ等の各種レンズが含まれているため、装飾部材のデザインや好み等に応じて、所望のレンズを装飾部材に自由に重ね合せて取り付けられ使い勝手がよい。
【００１５】
請求項４の本考案の重ね合せ装飾体は、カットガラス体やレンズ体が重ね合さって取り付けられる装飾部材を備えた物品が、リング、ネックレス、ブレスレット、イヤリング、ブローチ、ティアラ、ネクタイピン、カフスボタン、時計その他であるので、各種シーンで使用される装飾物品に適応できる自在性がある。
【００１６】
請求項５の本考案の重ね合せ装飾体は、カットガラス体やレンズ体が重ね合さって取り付けられる装飾部材に、ＬＥＤ等の発光体が付設されているので、カットガラス体等を介して映し出される装飾部材が変色して視覚に訴える演出効果もある。
【考案を実施するための最良の形態】
【００１７】
本考案に係る重ね合せ装飾体の好適な実施形態を、以下図面にしたがって説明する。なお、本請求項１〜５記載の考案に関する実施の形態は共通しているので、以下のとおり一括して説明する。
【００１８】
本実施形態の重ね合せ装飾体は、天然石やガラスダイヤ、ビーズ、リボン、チェーン類で成る装飾部材１の上に、装飾を兼ねるカットガラス体７やレンズ体２が重ね合さって取り付けられ、前記カットガラス体７やレンズ体２を介して前記装飾部材１が実物とは異なって視覚に訴えられる構成となっている。
【００１９】
図１は、レンズ体２の装飾部材１への重ね合せ取り付け要領を示している。このレンズ体２に代えてカットガラス体７も同様に装飾部材１へ重ね合せ取り付けられる（図４参照）。
【００２０】
装飾部材１は、天然石やガラスダイヤ、ビーズ、リボン、チェーン類で製作されている。装飾部材１としては、その他ボタンや布、メッセージプレート等の素材を利用して実施することもできる。
【００２１】
カットガラス体７は、幅寸が２．５〜４ｃｍぐらいでシャンデリア用などに使用されるもの（図５〜図７）が好適に採用される。例えば図５に示したカットガラス体７は、水平方向に湾曲した円盤状でその表裏面全体が小さな格子状にカットされており、見る角度によりきらきらと輝きながら下面に映し出される物（装飾部材１）の形状、模様、色彩等が様々に変化される。
【００２２】
図６のカットガラス体７は、中央部が尖った山形状のものが表裏面に形成され、内部をも十字状にカットされており、やはり見る角度によりきらきらと輝きながら下面の装飾部材１の形状等が様々に変化する。また、図７に示したような変形タイプのカットガラス体７も使用される。
【００２３】
その他、カットガラス体７の一種として、ガラスの表面をカットして一層光り輝くように加工してあるシンプルな、いわゆる変形ガラスを使用することも好適に行われる。
【００２４】
前記のようなカットガラス体７に代え、或いはカットガラス体７と共に、レンズ体２が使用される。レンズ体２としては、ガラスレンズの他、プラスチックレンズなど素材は問わない。また、拡大鏡レンズや、縮小レンズ、万華鏡レンズ、メガネレンズ等の各種レンズを使用する形態を採用可能である。
【００２５】
このレンズ体２には、図２に示したように、その縁部３に小孔４が１箇所又は複数箇所設けられている。同図２では、小孔４が２箇所設けられたタイプを示している。そして、前記小孔４に結束用として細い線材であるワイヤー５・・・がそれぞれ挿通されており、装飾部材１の所望位置の上に重ね合さっているレンズ体２が、その前記ワイヤー５を装飾部材１に巻き付けることにより固定自在となっている。カットガラス体７についても、同様に形成された小孔４（図５、６、７参照）にワイヤー５が挿通されて使用されるものである。
【００２６】
したがって、例えば図１に示したような装飾部材１の上に、装飾を兼ねる前記レンズ体２や前記カットガラス体７（図示は省略）を所望位置で重ね合せ、同レンズ体２（カットガラス体７）のワイヤー５・・・を装飾部材１に巻き付け取り付けて固定される。
【００２７】
図３と図４は、装飾部材１がネックレス１１の実施形態を示している。図３はレンズ体２、図４はカットガラス体７を使用する例である。これらレンズ体２やカットガラス体７を介して、当該装飾部材１が実物とは異なって視覚に訴えられる。
【００２８】
すなわち、図３のレンズ体２が拡大鏡レンズや縮小レンズで形成される場合、下面に映し出される装飾部材１は、拡大効果や縮小効果で、大小様々に変形して実物とは異なって見える。図４のカットガラス体７の場合、下面に映し出される装飾部材１は、光屈折効果により様々に変形・変色したりして、元のもつイメージとは異なる奇抜性に富んだ装飾部材１がアピールされ、デザイン的な面白さに看者の目を引く。
【００２９】
なお、当該図３のほか、以下の図８、９、１０、１１、１２、１３において、斜線で示した部分は、図１に例示した装飾部材１に相当する部分であること省略して示しているものである。
【００３０】
かくして、本実施形態によれば、各種の装飾部材１を備えた下記物品に適用される。但し、以下の物品に限定される訳ではなく、装飾部材１が備えられる物品であれば同様に実施可能である。
【００３１】
例えば、図８は、装飾部材１を備えたリング１０にレンズ体２が１個重ね合さって取り付けられている形態を示している。
【００３２】
図９は、装飾部材１を備えたブレスレット１２に複数個のレンズ体２・・・が重ね合さって取り付けられている形態を示している。
【００３３】
図１０は、装飾部材１を備えた一対のイヤリング１３に複数個のレンズ体２・・・がそれぞれ重ね合さって取り付けられている形態、図１１は、装飾部材１を備えたブローチ１４に複数個のレンズ体２・・・が重ね合さって取り付けられている形態をそれぞれ示している。
【００３４】
また、図１２は、装飾部材１を備えたティアラ１５に複数個のレンズ体２・・・が重ね合さって取り付けられている形態を示している。
【００３５】
図１３は、装飾部材１を表示盤の外周に備えた腕時計１６に、複数個のレンズ体２・・・が重ね合さって取り付けられている形態を示している。
【００３６】
さらに、装飾部材１を備えた男性用のネクタイピンやカフスボタン（図示は省略）に、上述したカットガラス体７やレンズ体２・・・を、複数個重ね合せて取り付ける形態も好適に実施される。
【００３７】
なお、上述した装飾部材１に、図示を省略したＬＥＤ等の発光体を付設する実施形態も採用可能である。
【図面の簡単な説明】
【００３８】
【図１】Ａ、Ｂはレンズ体の装飾部材への重ね合せ取り付け要領を示した側面図と裏面図である。
【００３９】
【図２】レンズ体の構成を示した分解図と完成図である。
【００４０】
【図３】装飾部材を備えたネックレスにおけるレンズ体の重ね合せ取り付け状態を示した説明図である。
【００４１】
【図４】装飾部材を備えたネックレスにおけるカットガラス体の重ね合せ取り付け状態を示した異なる説明図である。
【００４２】
【図５】カットガラス体を示した平面図である。
【００４３】
【図６】異なるカットガラス体を示した平面図である。
【００４４】
【図７】異なるカットガラス体を示した平面図である。
【００４５】
【図８】装飾部材を備えたリングにおけるレンズ体の重ね合せ取り付け状態を示した説明図である。
【００４６】
【図９】装飾部材を備えたブレスレットにおけるレンズ体の重ね合せ取り付け状態を示した説明図である。
【００４７】
【図１０】装飾部材を備えたイヤリングにおけるレンズ体の重ね合せ取り付け状態を示した説明図である。
【００４８】
【図１１】装飾部材を備えたブローチにおけるレンズ体の重ね合せ取り付け状態を示した説明図である。
【００４９】
【図１２】装飾部材を備えたティアラにおけるレンズ体の重ね合せ取り付け状態を示した説明図である。
【００５０】
【図１３】装飾部材を備えた腕時計におけるレンズ体の重ね合せ取り付け状態を示した説明図である。
【符号の説明】
【００５１】
１      装飾部材
２      レンズ体
３      縁部
４      小孔
５      ワイヤー
７      カットガラス体
１０    リング
１１    ネックレス
１２    ブレスレット
１３    イヤリング
１４    ブローチ
１５    ティアラ
１６    時計
【図１】
0003151746.tif 000003
【図２】
0003151746.tif 000004
【図３】
0003151746.tif 000005
【図８】
0003151746.tif 000006
【図９】
0003151746.tif 000007
【図１０】
0003151746.tif 000008
【図１１】
0003151746.tif 000009
【図１２】
0003151746.tif 000010
【図１３】
0003151746.tif 000011
【図４】
0003151746.tif 000012
【図５】
0003151746.tif 000013
【図６】
0003151746.tif 000014
【図７】
0003151746.tif 000015